(57)【要約】【課題】コードセットに仕様変更が生じた場合であっても、本来の文字とは異なる文字が出現する事態を可及的に回避可能なフォント処理装置を得る。【解決手段】本発明に係るフォント処理装置では、データ受付部８１でフォント及び文字コードの指定情報を含む文書データが受け付けられたとき、フォントデータ取出部８７は、前記指定情報と、フォントデータ記憶部８３及び設定情報記憶部８５の記憶内容と、に基づいて、前記指定情報に従うフォント及び文字コードに対応するフォントデータを、前記設定情報に従うコードセットから取り出す。こうして取り出されたフォントデータに対して、例えば印刷等の所定の処理が行われる。【選択図】  図２
2010221604.tif 000002
【特許請求の範囲】
【請求項１】
フォント及び文字コードの指定情報を含む文書データを受付けるデータ受付部と、
少なくとも一部のコード仕様が相異する複数のコードセットを、一のフォントに対応付けて記憶するフォントデータ記憶部と、
前記複数のコードセットのうち、いずれか一のコードセットを設定する際に参照される設定情報を記憶する設定情報記憶部と、
前記データ受付部で前記文書データが受け付けられたとき、前記指定情報と、前記フォントデータ記憶部及び前記設定情報記憶部の記憶内容と、に基づいて、前記指定情報に従うフォント及び文字コードに対応するフォントデータを、前記設定情報に従うコードセットから取り出すフォントデータ取出部と、
を備え、前記取り出されたフォントデータに対して所定の処理を行う、
ことを特徴とするフォント処理装置。
【請求項２】
請求項１記載のフォント処理装置であって、
前記複数のコードセットは、第１のコード仕様に係るコードセットと、第２のコード仕様に係るコードセットと、を少なくとも含み、
前記第２のコード仕様に係るコードセットには、前記第１のコード仕様に係るコードセットとは異なる文字コードの部分に関するフォントデータが定義されている、
ことを特徴とするフォント処理装置。
【請求項３】
請求項１又は２に記載のフォント処理装置であって、
前記データ受付部で受け付けられる前記文書データは、当該文書データの作成時に用いられたフォントのコードセットに係る識別情報を含み、
前記フォントデータ取出部は、前記データ受付部で前記文書データが受け付けられたとき、前記指定情報に従うフォント及び文字コードに対応するフォントデータを、前記フォントのコードセットに係る識別情報に従うコードセットから取り出す、
ことを特徴とするフォント処理装置。
【請求項４】
請求項１〜３のうちいずれか一項に記載のフォント処理装置の機能を、コンピュータに実現させるためのフォント処理プログラム。
【発明の詳細な説明】
【技術分野】
【０００１】
本発明は、文字コードに対応するフォントデータを、コード化された文字集合からなるコードセットから取り出して印刷等の所定の処理を行うフォント処理装置に係り、特に、コードセットに仕様変更が生じた場合であっても、本来の文字とは異なる文字が出現する事態を可及的に回避可能なフォント処理装置、及びフォント処理プログラムに関する。
【背景技術】
【０００２】
従来、文字コードに対応するフォントデータを、コード化された文字集合からなるコードセットから取り出して印刷等の所定の処理を行うフォント処理装置が知られている（例えば特許文献１参照）。
【０００３】
この種のフォント処理装置では、一般に、あるフォントに対してコードセットが一対一で対応付けられている。従って、フォント及び文字コードが指定されると、それに対応するフォントデータが一意に取り出される。
【０００４】
ところで、コード化された文字集合からなるコードセットでは、仕様変更がなされる場合がある。例えば、何らの定義もされていなかった文字コードに新規の文字が割り当てられたり、定義済みの文字コードに割り当てられていた文字が別のものに変更され又は削除される場合がある。
【０００５】
こうしたコードセットの仕様変更が生じた場合、仕様変更前のコードセットに基づき作成された文書データを、仕様変更後のコードセットが組み込まれたフォント処理装置で処理すると、本来の文字とは異なる文字が出現するおそれがある。そこで、かかる不具合を解決し得る新規な技術の開発が待望されていた。
【先行技術文献】
【特許文献】
【０００６】
【特許文献１】特願２０００−１６４３４２号公報
【発明の概要】
【発明が解決しようとする課題】
【０００７】
解決しようとする問題点は、コードセットの仕様変更が生じた場合、仕様変更前のコードセットに基づき作成された文書データを、仕様変更後のコードセットが組み込まれたフォント処理装置で処理すると、本来の文字とは異なる文字の出現が懸念される点である。
【課題を解決するための手段】
【０００８】
本発明は、コードセットに仕様変更が生じた場合であっても、本来の文字とは異なる文字が出現する事態を可及的に回避可能なフォント処理装置を得ることを目的として、フォント及び文字コードの指定情報を含む文書データを受付けるデータ受付部と、少なくとも一部のコード仕様が相異する複数のコードセットを、一のフォントに対応付けて記憶するフォントデータ記憶部と、前記複数のコードセットのうち、いずれか一のコードセットを設定する際に参照される設定情報を記憶する設定情報記憶部と、前記データ受付部で前記文書データが受け付けられたとき、前記指定情報と、前記フォントデータ記憶部及び前記設定情報記憶部の記憶内容と、に基づいて、前記指定情報に従うフォント及び文字コードに対応するフォントデータを、前記設定情報に従うコードセットから取り出すフォントデータ取出部と、を備え、前記取り出されたフォントデータに対して所定の処理を行う、ことを最も主要な特徴とする。
【発明の効果】
【０００９】
本発明に係るフォント処理装置では、データ受付部でフォント及び文字コードの指定情報を含む文書データが受け付けられたとき、フォントデータ取出部は、前記指定情報と、フォントデータ記憶部及び設定情報記憶部の記憶内容と、に基づいて、前記指定情報に従うフォント及び文字コードに対応するフォントデータを、前記設定情報に従うコードセットから取り出し、こうして取り出されたフォントデータに対して、例えば印刷等の所定の処理が行われる。
【００１０】
これにより、例えば、現行仕様のコードセットが優先的に設定される旨の設定情報を設定情報記憶部に記憶させておけば、現行仕様（仕様変更後）のコードセットに基づき作成された文書データのフォント処理に際しては、かかる設定情報に従うコードセットから対応するフォントデータが取り出される結果として、文書の出力に支障を生じることはない。
【００１１】
一方、例えば、過去仕様（仕様変更前）のコードセットに基づき作成された文書データのフォント処理に際しては、ユーザが過去仕様（仕様変更前）のコードセットが優先的に設定される旨の設定情報を設定情報記憶部に記憶させておけば、かかる設定情報に従うコードセットから対応するフォントデータが取り出される結果として、上記と同様文書の出力に支障を生じることはない。
【００１２】
従って、コードセットに仕様変更が生じた場合であっても、本来の文字とは異なる文字が出現する事態を可及的に回避することができる。
【図面の簡単な説明】
【００１３】
【図１】本発明実施例に係るフォント処理装置が内蔵されたデジタルカラー複合機周辺の概略構成図である。
【図２】本発明実施例に係るフォント処理装置の動作フローチャート図である。
【図３】図３は、フォントデータ記憶部の記憶内容を例示した説明図であり、図３（１）は、コードセット１のフォントデータ（フォント種別：Courier）の一部を示す説明図、図３（２）は、コードセット２のフォントデータ（フォント種別：Courier）の一部を示す説明図である。
【発明を実施するための形態】
【００１４】
コードセットに仕様変更が生じた場合であっても、本来の文字とは異なる文字が出現する事態を可及的に回避するといった目的を、データ受付部でフォント及び文字コードの指定情報を含む文書データが受け付けられたとき、前記指定情報と、フォントデータ記憶部及び設定情報記憶部の記憶内容と、に基づいて、前記指定情報に従うフォント及び文字コードに対応するフォントデータを、前記設定情報に従うコードセットから取り出すフォントデータ取出部によって実現した。
【実施例】
【００１５】
以下、本発明実施例に係るフォント処理装置について、図面を参照しつつ詳細に説明する。
【００１６】
なお、以下において、本発明実施例に係るフォント処理装置として、同フォント処理装置が内蔵されたデジタルカラー複合機を例示するとともに、かかるデジタルカラー複合機の動作を、本デジタルカラー複合機にネットワークを介して接続されたクライアントＰＣにインストールされているプリンタドライバによって制御する例を挙げて説明する。
［デジタルカラー複合機周辺の概略構成］
図１は、本発明実施例に係るフォント処理装置が内蔵されたデジタルカラー複合機周辺の概略構成図である。
【００１７】
本デジタルカラー複合機１０は、図１に示すように、印刷出力、ファックス送信、メール送信、又はデータ送信のうち少なくとも一つの機能が利用可能であり、主制御部１１によって制御される。
【００１８】
主制御部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、本機１０全体の動作を統括制御する。
【００１９】
主制御部１１に接続され諸機能を担う入出力機器として、本機１０は、スキャナ部２１、画像処理部３１、エンジン部４１、操作パネル部５１、ファクシミリ通信部６１、ＨＤＤ（ハードディスクドライブ）６３、並びに、ネットワークＩ／Ｆ（インタフェース）部６５を備える。
【００２０】
スキャナ部２１は、図示しないスキャナを構成する画像照射ランプ２３及びＣＣＤ（電荷結合素子：Charge Coupled Device）センサ２５を含む。スキャナ部２１は、画像照射ランプ２３により原稿を照射し、その反射光をＣＣＤセンサ２５で受光することにより、原稿から画像を読み取り、読み取った画像に対応する画像データを画像処理部３１へ出力する。
【００２１】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、エンジン部４１、ファクシミリ通信部６１等へ出力する。補正部３３は、スキャナ部２１で読み取られた画像データに対してレベル補正、ガンマ補正等の所定の補正処理を行う。画像加工部３５は、画像データの圧縮又は伸張処理、及び拡大又は縮小処理等の種々の加工処理を行う。
【００２２】
エンジン部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。エンジン部４１は、スキャナ部２１で読み取られた画像データ、ネットワークＩ／Ｆ部６５を介してＬＡＮ（Local Area Network）回線を介してクライアントＰＣから送信された画像データ、ファクシミリ通信部６１を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００２３】
操作パネル部５１は、タッチパネル部５３及び操作キー部５５を含む。操作パネル部５１は、ユーザがスキャナ機能、ファクシミリ機能、プリンタ機能、コピー機能等に関する操作を行うために使用され、ユーザによる操作指令等を主制御部１１に与える。
【００２４】
タッチパネル部５３は、タッチパネルとカラーＬＣＤ（Liquid Crystal Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。
【００２５】
操作キー部５５は、ユーザの操作入力を受付けるための複数の操作キーを備えており、例えば、コピー機能、プリンタ機能、スキャナ機能、ファクシミリ機能など諸機能のなかから、所要機能のキー入力操作をユーザが選択的に実行する際に、又は、ユーザが複写部数やコピー実行指令などを操作入力する際に用いられる。
【００２６】
ファクシミリ通信部６１は、符号化／復号化部（図示省略）、変復調部（図示省略）及びＮＣＵ（Network Control Unit）（図示省略）を含む。ファクシミリ通信部６１は、スキャナ部２１によって読み取られた原稿の画像データを電話回線を介してファクシミリ装置等へ送信したり、ファクシミリ装置等から送信された画像データを受信する。
【００２７】
ＨＤＤ（ハードディスクドライブ）６３は、スキャナ部２１によって読み取られた画像データ及び同画像データに設定されている出力形式等の種々のデータ等を記憶する。ＨＤＤに記憶されている画像データは、フォント処理装置内部で使用されるだけでなく、必要に応じて、ネットワークＩ／Ｆ部６５を介してクライアントＰＣ等から確認したり、クライアントＰＣやＦＴＰサーバ等の所定のフォルダへ転送される。
【００２８】
ネットワークＩ／Ｆ部６５は、ネットワークインタフェース（１０／１００Ｂａｓｅ−ＴＸ）等を用い、ＬＡＮを介して接続されたクライアントＰＣ６７に対する種々のデータの送受信を制御する。具体的には、ネットワークＩ／Ｆ部６５は、例えば、クライアントＰＣ６７から送信されてきた印刷データや印刷指令を含む印刷制御信号を受信し、受信した信号を主制御部１１宛に転送する。
【００２９】
クライアントＰＣ６７には、同ＰＣ６７に所要の機能を実現させるアプリケーション７１と、アプリケーション７１からの印刷要求をプリンタドラバ７５宛に送出する等、アプリケーション７１の動作環境を提供するＯＳ（オペレーティングシステム）モジュール７３と、デジタルカラー複合機１０の動作制御を司るプリンタドライバ７５とが、その記憶領域にインストールされている。また、プリンタドライバ７５は、アプリケーション７１から印刷要求を受けた文書データに係る印刷データを生成する印刷データ生成部７７を有して構成されている。
【００３０】
コードセットに仕様変更が生じた場合であっても、本来の文字とは異なる文字が出現する事態を可及的に回避するために、主制御部１１は、データ受付部８１、フォントデータ記憶部８３、設定情報記憶部８５及びフォントデータ取出部８７を有して構成されている。
【００３１】
データ受付部８１は、フォント及び文字コードの指定情報を含む印刷データ（本発明の「文書データ」に相当する。）を受付ける。
【００３２】
フォントデータ記憶部８３は、少なくとも一部のコード仕様が相異する複数のコードセットを、一のフォントに対応付けて記憶する。
【００３３】
設定情報記憶部８５は、前記複数のコードセットのうち、いずれか一のコードセットを設定する際に参照される設定情報を記憶する。
【００３４】
フォントデータ取出部８７は、データ受付部８１で前記文書データが受け付けられたとき、前記指定情報と、フォントデータ記憶部８３及び設定情報記憶部８５の記憶内容と、に基づいて、前記指定情報に従うフォント及び文字コードに対応するフォントデータを、前記設定情報に従うコードセットから取り出す。
【００３５】
ここで、主制御部１１は、ＣＰＵ（Central Processing Unit）、ＲＯＭ（Read Only Memory）及びＲＡＭ（Random Access Memory）を有するコンピュータである。
【００３６】
ＣＰＵは、フォント処理プログラムに記述された処理を実行する演算処理装置である。また、ＲＯＭは、フォント処理プログラム及び、フォントデータや前記設定情報等のデータを予め記憶した不揮発性のメモリである。また、ＲＡＭは、フォント処理プログラムを実行する際にそのプログラムおよびデータを一時的に記憶するメモリである。
【００３７】
主制御部１１は、フォント処理プログラムを実行することにより、データ受付部８１、フォントデータ記憶部８３、設定情報記憶部８５、及びフォントデータ取出部８７の機能を実現し、これらの各構成要素の集合によって、本発明実施例に係るフォント処理装置を構成する。
［本発明実施例に係るフォント処理装置の動作］
次に、本発明実施例に係るフォント処理装置の動作について、図２及び図３を参照して説明する。図２は、本発明実施例に係るフォント処理装置の動作フローチャート図、図３は、フォントデータ記憶部の記憶内容を例示した説明図であり、図３（１）は、コードセット１のフォントデータ（フォント種別：Courier）の一部を示す説明図、図３（２）は、コードセット２のフォントデータ（フォント種別：Courier）の一部を示す説明図である。
【００３８】
仮に、ユーザ側のクライアントＰＣ６７において、会議資料の文書を印刷出力すべき要求が生じたとする。なお、この文書データは、現行仕様のコードセットに基づき作成されたものとする。
【００３９】
これを受けて、ユーザが、会議資料の文書データを対応するアプリケーション７１経由で開き、アプリケーション７１によって表示画面上に提示される印刷アイコン（不図示）を押下操作すると、プリンタドライバ７５が提供する印刷設定ダイアログ画面（不図示）がクライアントＰＣ６７の表示画面上に提示されてくる。このときユーザが、印刷設定ダイアログ画面上の印刷開始ボタン（不図示）を押下操作すると、プリンタドライバ７５は、ＯＳモジュール７３経由でアプリケーション７１からの印刷要求を受付ける。
【００４０】
プリンタドライバ７５に内包される印刷データ生成部７７は、フォント及び文字コードの指定情報を含んだ、該当文書に係る印刷データを生成する。こうして生成された該当文書に係る印刷データは、ネットワーク経由でクライアントＰＣ６７からデジタルカラー複合機１０宛に送出される。ここまでがクライアントＰＣ６７側における処理の流れである。
【００４１】
ステップＳ１１において、データ受付部８１は、クライアントＰＣ６７から送出されてきた、フォント及び文字コードの指定情報を含む印刷データを受付ける。
【００４２】
これを受けて、フォントデータ取出部８７は、設定情報記憶部８５に記憶されている設定情報を確認する（ステップＳ１２）。ここでは、現行仕様のコードセットである「コードセット１」が優先的に設定される旨が、設定情報として記憶されていたとする。
【００４３】
ステップＳ１２で確認された設定情報を受けて、フォントデータ取出部８７は、ステップＳ１１で受付けた印刷データに含まれる、指定情報に従うフォント及び文字コードに対応するフォントデータを、前記設定情報に従うコードセット１から取り出して（ステップＳ１３）、エンジン部４１に渡す。
【００４４】
これを受けてエンジン部４１は、ステップＳ１３で取り出したフォントデータに基づき印刷処理を実行する（ステップＳ１４）。
［実施例の効果］
以上述べたように、本発明に係るフォント処理装置では、データ受付部８１でフォント及び文字コードの指定情報を含む印刷データが受け付けられたとき、フォントデータ取出部８７は、前記指定情報と、フォントデータ記憶部８３及び設定情報記憶部８５の記憶内容と、に基づいて、前記指定情報に従うフォント及び文字コードに対応するフォントデータを、前記設定情報に従うコードセットから取り出し、こうして取り出されたフォントデータに対して、例えば印刷や表示等の所定の処理が行われる。
【００４５】
これにより、例えば、現行仕様のコードセットが優先的に設定される旨の設定情報を設定情報記憶部８５に記憶させておけば、現行仕様（仕様変更後）のコードセットである「コードセット１」（図３（１）参照）に基づき作成された文書データのフォント処理に際しては、かかる設定情報に従うコードセット１から対応するフォントデータが取り出される結果として、文書の出力に支障を生じることはない。
【００４６】
一方、例えば、過去仕様（仕様変更前）のコードセットである「コードセット２」（図３（２）参照）に基づき作成された文書データのフォント処理に際しては、過去仕様のコードセット２が優先的に設定される旨の設定情報を設定情報記憶部８５に記憶させておけば、かかる設定情報に従うコードセット２（図３（２）参照）から対応するフォントデータが取り出される結果として、上記と同様文書の出力に支障を生じることはない。
【００４７】
従って、コードセットに仕様変更が生じた場合であっても、本来の文字とは異なる文字が出現する事態を可及的に回避することができる。
【００４８】
なお、複数のコードセットは、例えば図３（１），（２）に示すように、第１のコード仕様に係るコードセット１と、第２のコード仕様に係るコードセット２と、を少なくとも含み、第２のコード仕様に係るコードセット２には、第１のコード仕様に係るコードセット１とは異なる文字コードの部分に関するフォントデータが定義されている、構成を採用してもよい。このように構成すれば、フォントデータ記憶部８３におけるコードセットに係る占有記憶容量を削減することができる。
【００４９】
この場合、具体的には、例えば、第１のコード仕様に係るコードセット１は、図３（１）に示すコード仕様の通部分及び相異部分の両者（コードセット１に係る全てのフォントデータ）を含んで構成される一方、第２のコード仕様に係るコードセット２は、図３（２）に示すコード仕様の相異部分のみから構成されることになる。
【００５０】
こうした構成を採用する場合において、例えば、過去仕様（仕様変更前）のコードセットである「コードセット２」に基づき作成された文書データのフォント処理に際しては、過去仕様のコードセット２が一次優先的に設定される旨の設定情報を設定情報記憶部８５に記憶させておけば、かかる設定情報に従うコードセット２から対応するフォントデータが取り出されるのが原則である。
【００５１】
ところが、「コードセット２」は、「コードセット１」との間の相異部分のみのフォントデータしか持っていないので、前記共通部分に係る文字コードが指定された場合には、「コードセット２」からは対応するフォントデータを取り出すことができない。
【００５２】
こうした問題を解消するためには、現行仕様のコードセット１が二次優先的に設定される旨の設定情報を、設定情報記憶部８５に記憶させておけばよい。このように構成すれば、前記共通部分に係る文字コードが指定された場合には、前記設定情報に従う二次優先のコードセット１から対応するフォントデータが取り出される結果として、上記問題を解消することができる。
【００５３】
また、データ受付部８１で受け付けられる文書データは、当該文書データの作成時に用いられたフォントのコードセットに係る識別情報（例えば、「コードセット１」、「コードセット２」などの、複数のコードセットを一意に識別可能な情報）を含み、フォントデータ取出部８７は、データ受付部８１で文書データが受け付けられたとき、前記指定情報に従うフォント及び文字コードに対応するフォントデータを、前記フォントのコードセットに係る識別情報に従うコードセットから取り出す、構成を採用してもよい。
【００５４】
このように構成すれば、文書データに応じた適切なコードセットの設定工程を自動化することが可能となる結果として、ユーザの手を一切煩わすことなしに、コードセットに仕様変更が生じた場合であっても、本来の文字とは異なる文字が出現する事態を回避可能な、きわめて利便性の高いフォント処理装置を実現することができる。
［その他］
本発明は、上述した実施例に限られるものではなく、請求の範囲及び明細書全体から読み取れる発明の要旨、あるいは技術思想に反しない範囲で適宜変更可能であり、そのような変更を伴うフォント処理装置もまた、本発明における技術的範囲の射程に包含されるものである。
【００５５】
本発明のフォント処理プログラムは、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等等の記録媒体により、又は、ネットワークを介して外部の記録媒体から、プログラムを含む情報群が出力装置にインストールすることができる。
【００５６】
また、主制御部１１がフォント処理プログラムの指示に基づき、コンピュータ上で稼働しているＯＳ（オペレーティングシステム）等が実際の処理の一部又は全部を行い、その処理によって前述した実施例の機能が実現される態様も、本発明の技術的範囲の射程に含まれる。
【００５７】
また、主制御部１１の代わりにコンピュータに挿入された機能拡張ボードを使用してフォント処理プログラムを実行してもよい。この場合、フォント処理プログラムは機能拡張ボードに備わるメモリに書き込まれた後、その機能拡張ボードに備わるＣＰＵ等がフォント処理プログラムを実行し、前述した実施例に係るフォント処理装置としての機能が実現される態様も、本発明の技術的範囲の射程に含まれる。
【符号の説明】
【００５８】
１１  主制御部
４１  エンジン部（フォント処理装置の一部を構成する）
５１  操作パネル部（フォント処理装置の一部を構成する）
６７  クライアントＰＣ
７１  アプリケーション
７３  ＯＳモジュール
７５  プリンタドライバ
７７  印刷データ生成部
８１  データ受付部（フォント処理装置の一部を構成する）
８３  フォントデータ記憶部（フォント処理装置の一部を構成する）
８５  設定情報記憶部（フォント処理装置の一部を構成する）
８７  フォントデータ取出部（フォント処理装置の一部を構成する）
【図１】
2010221604.tif 000003
【図２】
2010221604.tif 000004
【図３】
2010221604.tif 000005